(57)【要約】【課題】  雨水を利用して鳥類などの営巣を防止する。【解決手段】  骨組み構造から構成される細長い建造物、例えば送電線鉄塔に取り付ける営巣防止装置１０であって、雨水を受ける器部分１１と、該器部分１１に連続して設けられた筒部１５と、を有し、該筒部１５の下方開口を鳥類などが営巣しやすい場所６に対向させ、雨水を営巣しやすい場所６に落下させるようにすると共に、筒部１５を、内筒部１６と外筒部１７との２重構造に形成し、外筒部１７の外周面に複数の窓２０、２０を形成して、該窓２０、２０と外筒部１７の下方開口とを貫通させて窓２０、２０から侵入した風を営巣しやすい場所６に当てるようにした。【選択図】  図９
2019126320.tif 000002
【特許請求の範囲】
【請求項１】
骨組み構造から構成される細長い建造物に取り付ける営巣防止装置であって、
雨水を受ける器部分と、該器部分に連続して設けられた筒部と、を有し、
該筒部の下方開口を鳥類などが営巣しやすい場所に対向させ、
雨水を営巣しやすい場所に落下させるようにした、ことを特徴とする営巣防止装置。
【請求項２】
前記器部分に連続して形成された筒部を、内筒部と外筒部との２重構造に形成し、外筒部の外周面に複数の窓を形成して、該窓と外筒部の下方開口とを貫通させており、
窓から侵入した風が営巣しやすい場所に当たるようにした、
ことを特徴とする請求項１に記載の営巣防止装置。
【請求項３】
前記器部分に連続して形成された筒部内筒部の下方に雨水を一時的に滞留させる雨水滞留手段を設け、該雨水滞留手段は一定量の雨水を滞留させると滞留した雨水を落下させるようにした、
ことを特徴とする請求項１又は請求項２の何れか１項に記載の営巣防止装置。
【発明の詳細な説明】
【技術分野】
【０００１】
この発明は、骨組み構造から構成される細長い建造物、例えば、送電用鉄塔の頂部などにおける鳥類の営巣防止装置に関し、簡単な構造で、自然現象の雨や風などを利用して、営巣を防止することができる営巣防止装置に関する。
【背景技術】
【０００２】
送電用などの鉄塔に鳥類により巣が作られると、営巣材（木の枝や針金など）が電線に接触することにより、停電事故が発生する原因となる。また、近年お客さまより、「鳥の糞を何とかして欲しい」等の理由により、鉄塔に鳥の巣を作らせないで欲しいという要望が多い。
【０００３】
営巣を防ぐ各種装置も知られているが、構造上、常時動作する部分があるものは、その動作により騒音の問題も生じたり、構造が複雑になり、故障などの不具合の原因になりやすく、かつ故障したときにその部品が落下するなどの問題があった。
【０００４】
鳥類は、雨水や風が当たらない箇所を選んで営巣していると思われるが、その中でも、鉄塔の頂部には頂板という屋根（プレート）が設けられており、雨水が当たりにくい部分がある。また、「ヘリ番号札（ヘリコプターからその鉄塔を特定するための番号を認識するための標識板）」がある鉄塔にあっては、ヘリ番号札が風をある程度防いでくれるため、鉄塔頂部に営巣される場所としてされている。
【０００５】
このような問題を解決する手法として、特許文献１には、鉄塔材に取り付けて使用し、管状の本体部から突出した複数の弾性ピンが、風車と共に回転して、営巣材料を弾き飛ばすことで、鉄塔への営巣を防止する鳥害防止装置が示されている。
【先行技術文献】
【特許文献】
【０００６】
【特許文献１】特開２０１２−０１９７５５号公報
【発明の概要】
【発明が解決しようとする課題】
【０００７】
しかしながら、特許文献１の発明にあっては、風のみを利用して営巣を防止しようとするもので、構造が複雑なうえ、風によって動く部分があり、騒音の問題を生じかねない。また、動く部分があるため、何らかの故障により、動く部分が離脱して落下するという問題もあった。
【０００８】
そこで、本発明は、風だけでなく雨も利用し、構造が簡単で、常時動作する部分がなく、そのため騒音問題もなく、また、部品が離脱し落下するという問題も一挙に解決することができる営巣防止装置を提供することにある。
【課題を解決するための手段】
【０００９】
上記目的を達成するために、請求項１の発明は、骨組み構造から構成される細長い建造物に取り付ける営巣防止装置であって、雨水を受ける器部分と、該器部分に連続して設けられた筒部と、を有し、該筒部の下方開口を鳥類などが営巣しやすい場所に対向させ、雨水を営巣しやすい場所に落下させるようにした、ことを特徴とする。
【００１０】
請求項２の発明は、請求項１に記載の営巣防止装置において、前記器部分に連続して形成された筒部を、内筒部と外筒部との２重構造に形成し、外筒部の外周面に複数の窓を形成して、該窓と外筒部の下方開口とを貫通させており、窓から侵入した風が営巣しやすい場所に当たるようにした、ことを特徴とする。
【００１１】
請求項３の発明は、請求項１又は請求項２の何れか１項に記載の営巣防止装置において、前記器部分に連続して形成された筒部の下方に雨水を一時的に滞留させる雨水滞留手段を設け、該雨水滞留手段は一定量の雨水を滞留させると滞留した雨水を落下させるようにした、ことを特徴とする。
【発明の効果】
【００１２】
請求項１の発明によれば、雨を利用できるので、風のみを利用した既知の営巣防止装置に比べより高い確率で営巣を防止することができ、また、常時動作する部分がないため、騒音の問題や破損により部品が落下するといった事故を防ぐことができ、さらに、構造が簡単であるため安価に製造することができる。
【００１３】
請求項２の発明によれば、筒部を２重構造としてその外筒部の外周面に窓を設けて、外筒部の加工開口と貫通させたので、雨水だけでなく、風をも利用して営巣を防止することができるため、さらに高い確率で営巣を防止することができる。
【００１４】
請求項３の発明によれば、筒部の下方に雨水を一時的に滞留させる雨水滞留手段を設けたので、大量の雨水を営巣しやすい場所に落下させることができ、またさらに高い確率で営巣を防止することができる。
【図面の簡単な説明】
【００１５】
【図１】この発明の実施の形態１に係わる送電線鉄塔の頂部を斜め上方から見た斜視図である。
【図２】図１の送電線鉄塔の頂部の側面図である。
【図３】図１の送電線鉄塔の頂部の一段下がった箇所の平面図である。
【図４】図４乃至図９は、この発明の実施の形態１を示すもので、本図は営巣防止装置の側面図である。
【図５】営巣防止装置の平面図である。
【図６】営巣防止装置の底面図である。
【図７】図４におけるＶＩＩ−ＶＩＩ線に沿う断面図である。
【図８】図４におけるＶＩＩＩ−ＶＩＩＩ線に沿う断面図である。
【図９】図１０とともに本発明営巣防止装置を鉄塔頂部に取り付けた状態を示すもので、本図は側面図である。
【図１０】平面図である。
【図１１】筒部に形成した隔壁の変形例を示す要部の側面図である。
【図１２】この発明の実施の形態２に係わる営巣防止装置を示す縦断面図である。
【発明を実施するための形態】
【００１６】
以下、この発明を図示の実施の形態に基づいて説明する。
【００１７】
（実施の形態１）
図１乃至図３は既知の送電線鉄塔１の頂部２を示すものであり、本発明営巣防止装置１０が取り付けられる前の状態である。
【００１８】
図１は、送電線鉄塔１の頂部２を斜め上方から見た斜視図である。
【００１９】
鉄塔の最上頂部１Ａには頂板３が設けられており、鉄塔頂部２の屋根のようになっている。
【００２０】
鉄塔の最上頂部１Ａから一段下がった箇所１Ｂには４本の枠状の鉄塔材４、４、…とこれらの対角線上に鉄塔材５、５が設けられ、これら鉄塔材４、４、…、５、５はほぼ水平な状態になっている。
【００２１】
このように、鉄塔材４、５が水平に置かれ、かつ、上方に頂板３が位置するため、対角線上に置かれた鉄塔材５、５のクロス部分は、雨水を凌げ、鳥類が営巣しやすい場所６（図中において点線で囲って示す。）となっている。
【００２２】
また、鉄塔の一段下がった箇所１Ｂの一方の側面にはヘリ番号札７が設けられており、このヘリ番号札７とこれに隣接する１つの鉄塔材４との間が近接しており、かつ、ヘリ番号札７は風よけになるためこの部分も営巣されやすい場所６となっている。
【００２３】
図４乃至図８は本発明の営巣防止装置１０を示すものであり、図４は側面図、図５は平面図である。
【００２４】
営巣防止装置１０は、全体として漏斗状を呈し、上部の器部分１１は円形部１２とその周方向に９０°ずれた４箇所に外方向に突出した雨水受部１３、１３、…とからなる。
【００２５】
器部分１１の円形部１２の直径は上記頂板３の一辺の長さとほぼ同じかやや大きく形成され、したがって、後述するように営巣防止装置１０を頂板３の下方に取り付けたときに、上方から見て雨水受部１３、１３、…が頂板３よりも外方に突出するように位置される。
【００２６】
また、各雨水受部１３の外縁部には上方に向かって外壁１４が延設されており、雨水受部１３に落下した雨水が外側に飛び出ることなく、確実に器部分１１に受け止められるようになっている。
【００２７】
器部分１１の下方は２重の筒部１５（内筒部１６、外筒部１７）となっており、内側の内筒部１６の上周縁が上記器部分１１の下縁に接続されている。
【００２８】
内筒部１６と外筒部１７との間には両筒部１６と１７との空間を周方向に８つに区分けするための８つの隔壁１８、１８、…が設けられ、これにより、８つの上下方向に延びる通路１９、１９、…が形成されている。
【００２９】
また、各通路１９、１９、…の上部外筒部１７には窓２０、２０、…が形成されており、これにより、各通路１９、１９、…は上下方向に貫通されている。
【００３０】
このように形成された営巣防止装置１０は、鉄塔頂部２の頂板３の下側に取り付けられ、筒部１５が鉄塔頂部２の一段下がった位置に営巣されやすい場所６の上方に位置することになる。
【００３１】
図９及び図１０は本発明営巣防止装置１０を鉄塔頂部２に取り付けた状態を示すもので、図９はその側面図、図１０は平面図を示す。
【００３２】
しかして、降雨があった場合、上方から見て鉄塔頂部２の頂板３より外側４方向に突出した雨水受部１３、１３、…により雨水を受け、この雨水が器部分１１内に流れて、内筒部１６に導かれる。そして内筒部１６下部から落下し、営巣されやすい場所６に当たることになる。
【００３３】
これにより、鳥類が営巣されやすい場所６に営巣しようとしていても雨水が当たるため、鳥類は営巣することを諦め、結局営巣を防止することが期待できる。
【００３４】
さらに、鉄塔頂部２付近で風が吹いていると、その風は営巣防止装置１０の外筒部１７の上部周囲に形成された窓２０、２０、…から外筒部１７内に侵入し、外筒部１７と内筒部１６との間に形成された通路１９、１９、…を通って下方に向かい、筒部１５の下部から下方に向かって風が流れることなる。
【００３５】
これにより、鳥類が営巣されやすい場所６に営巣しようとしていても風が当たるため、鳥類は営巣することを諦め、結局営巣を防止することが期待できる。
【００３６】
図１１は、上記実施の形態の変形例３０を示すもので、その要部の側面図である。
【００３７】
具体的には、この変形例にかかる営巣防止装置３０は内筒部１６と外筒部１７との間に形成した隔壁３２、３２、…をそれぞれ下方に行くに従い周方向に偏倚するように、全体として斜めに捩じるように形成したものである。
【００３８】
これにより、変形例にかかる営巣防止装置３０にあっては、窓２０、２０、…から筒部１５の内側に侵入した風はその下方へ噴出される際に渦流となって噴出されることになる。
【００３９】
したがって、この変形例にかかる営巣防止装置３０にあっては、鉄塔頂部２の一段下がった箇所１Ｂの営巣されやすい場所６に渦流の風を当てることができ、さらに営巣をやりにくくすることができる。
【００４０】
（実施の形態２）
図１２は、この実施の形態に係わる発明営巣防止装置４０を示すもので、上記の実施の形態１に係わる営巣防止装置１０と異なるところは、その筒部１５の下部に開閉自在な蓋体４１を設けた点である。したがって、この実施の形態の説明においては、実施の形態１と相違する部分についてのみ説明する。
【００４１】
営巣防止装置４０の筒部１５下端には、内筒部１６の下部開口よりやや大きな円形の蓋体４１が配置され、該蓋体４１は軸４２により回動自在に支持されている。
【００４２】
また、軸４２には蓋体４１を上記内筒部１６の開口を閉塞する方向に付勢するばねが設けられ（図示は省略する）、これにより、蓋体４２は内筒部１６を常時閉塞している。これら蓋体４１、軸４２は後述するように雨水を滞留する滞留手段として機能する。
【００４３】
このような実施の形態２にかかる営巣防止装置４０にあっては、降雨により雨水が内筒部１６に侵入してくると、蓋体４１により下部開口が閉塞されているため、ここに溜められることになる。そして、一定量の雨水が溜まると、その重量に耐えられなくなった蓋体４１はばね力に抗して解放側に回動し、雨水が落下することになる。これにより、営巣されやすい場所６に滞留された、すなわち、大量の雨水を落下させることになり、当該場所６での営巣をさらに困難にすることができる。
【００４４】
この実施の形態１、２にあっては営巣されやすい場所６として鉄塔１の最上頂部１Ａから一段下がった箇所１Ｂであって、その対角線上に配置された鉄塔材４と４とがクロスした箇所として想定したが、上記ヘリ番号札７と鉄塔材との間が営巣されやすい場所６として想定される場合には、当該箇所に雨水及び／又は風が当たるように本発明営巣防止装置を取り付けたり、或いは形状をやや変形させて、所望の箇所に雨水及び／又は風が当たるようにして良い。
【００４５】
以上、この発明の実施の形態並びに変形例について説明したが、具体的な構成は、上記実施の形態並びに変形例に限られるものではなく、この発明の要旨を逸脱しない範囲の設計の変更等があっても、この発明に含まれる。
【００４６】
なお、骨組み構造から構成される細長い建造物として送電線鉄塔を挙げて説明したが、本発明営巣防止装置はこれに限られず、火の見やぐらなど比較的高い建造物であって、鳥類が営巣をしてしまうものにも適用することができる。
【符号の説明】
【００４７】
１  送電線鉄塔
１Ａ  最上頂部
１Ｂ  一段下がった箇所
２  鉄塔頂部
３  頂板
４  鉄塔材（枠状）
５  鉄塔材（対角線上）
６  営巣されやすい場所
７  ヘリ番号札
１０  営巣防止装置
１１  器部分
１２  円形部
１３  雨水受部
１４  立壁部
１５  筒部
１６  内筒部
１７  外筒部
１８  隔壁
１９  通路
２０  窓
３０  営巣防止装置
３１  内筒部
３２  隔壁
３３  通路
４０  営巣防止装置
４１、４２  雨水滞留手段（蓋体、回転軸）
【図１】
2019126320.tif 000003
【図２】
2019126320.tif 000004
【図３】
2019126320.tif 000005
【図４】
2019126320.tif 000006
【図５】
2019126320.tif 000007
【図６】
2019126320.tif 000008
【図７】
2019126320.tif 000009
【図８】
2019126320.tif 000010
【図９】
2019126320.tif 000011
【図１０】
2019126320.tif 000012
【図１１】
2019126320.tif 000013
【図１２】
2019126320.tif 000014